(57)【要約】【課題】ボンディングワイヤのような金属極細線の先端の直線性を維持したまま、先端形状を線径以下の細い切断幅のままにして切断できるワイヤ切断ツールを提供する。【解決手段】直線状の金属極細線Ｗを同一平面内で一対のクランパ６、７により挟持する２つの開閉式クランパ２、３と、少なくとも片方のクランパ６、７に設置され、金属極細線Ｗの線径よりも低い高さの切断刃４と、２つの開閉式クランパ２、３を金属極細線Ｗの軸線方向にそって移動させる移動手段５と、を具備し、２つの開閉式クランパ２、３により金属極細線Ｗを直線状として挟持すると共に、金属極細線Ｗに切断刃４により切り込みを形成し、移動手段５によりクランパ間距離Ｄを拡大し、金属極細線Ｗを伸張して加工硬化させ、切断刃４による切り込み部分のくびれを破断起点として金属極細線Ｗを切断し、金属極細線Ｗの先端に加工硬化した直線部分を形成する。【選択図】図１
2011131233.tif 000002
【特許請求の範囲】
【請求項１】
直線状の金属極細線を同一平面内で一対のクランパにより所定の長さで挟持する２つの開閉式クランパと、２つの開閉式クランパ間内側に配置され、２つの開閉式クランパのうち金属極細線の先端側の開閉式クランパの少なくとも片方のクランパに設けられ、金属極細線の線径よりも低い高さの切断刃と、２つの開閉式クランパを金属極細線の軸線方向にそって移動させ、２つの開閉式クランパのクランパ間距離を変更する移動手段とを具備し、２つの開閉式クランパにより金属極細線を直線状として挟持すると共に、金属極細線に切断刃により切り込みを形成し、移動手段によりクランパ間距離を拡大することにより、金属極細線を軸線方向に伸張して加工硬化させ、さらに伸張させることによって、切断刃による切り込み部分のくびれを破断起点として金属極細線を切断し、金属極細線の先端に加工硬化した直線部分を形成する、ことを特徴とするワイヤ切断ツール。
【請求項２】
少なくとも片方のクランパに対して切断刃の高さを調整自在に設ける、ことをことを特徴とする請求項１記載のワイヤ切断ツール。
【請求項３】
移動手段を、各開閉式クランパ取り付け用の２つのクランパ台に共通な直線ガイドと、少なくとも１つのクランパ台を直線ガイドにそって移動させる駆動手段とで構成する、ことを特徴とする請求項１または請求項２記載のデスクトップ式のワイヤ切断ツール。
【請求項４】
移動手段を、開閉操作可能な一対の手動操作レバーと、これらの手動操作レバーに連動し、２つの開閉式クランパを金属極細線の軸線方向にそって接離させる平行リンクと、この平行リンクによって応動して回動し、一対のクランパを開閉するカムとで構成する、ことを特徴とする請求項１または請求項２記載のハンディ式のワイヤ切断ツール。
【発明の詳細な説明】
【技術分野】
【０００１】
本発明は、ワイヤとしての金属極細線の切断に特徴を有するワイヤ切断ツールに関するものである。
【背景技術】
【０００２】
金属極細線をニッパ状の切断機で切断すると、切断部分が扇状となって、金属極細線の先端が線径よりも大きくなったり、また金属極細線を伸長により破断すると、破断時の破断応力の反動にもとづく座屈応力によって、金属極細線の先端部の直線性が損なわれたりする。
【０００３】
例えば、半導体組立工程のボンディングワイヤのセッティング工程では、直径が１５μｍから３０μｍといったボンディングワイヤとしての金属極細線をキャピラリチューブという内径が２０μｍから３８μｍといった管状ボンディングツールに貫通させるために、金属極細線の先端近傍をピンセットなどで挟持し、先端部を指で挟持して引き千切ったり、鋏で切断したりして、金属極細線の先端に直線部分を形成している。
【０００４】
このようなセッティング操作の過程で、金属極細線の切断部分の先端が扇状になったり、わずかでも直線性が損なわれると、金属極細線はキャピラリチューブ内で引っかかり、貫通させることができなくなる。そのためボンディングワイヤのセッティング作業は、熟練を要す作業となっている。
【０００５】
このように、ボンディングワイヤのような金属極細線の切断が難しい理由は、ニッパ状の切断機では刃間に数十μｍの隙間があると、塑性変形によって変形はするが、破断には至らず、鋏のような切断機でも刃間に隙間があれば、折れて変形するのみで、破断には至らず、指等で挟持して引き千切る場合には、先端が挟持によって変形したり、破断時の反動で先端が湾曲したりしやすいためであり、ボンディングワイヤの１５μｍから３０μｍといった線径の細さと、塑性変形しやすい組成や機械的特性とに起因する。
【０００６】
金属極細線の先端形状に直線性を付与するためには、金属極細線をわずかに軸方向へ伸長して加工硬化を起こす必要があるが、わずかに加工硬化を引き起こしただけでは、脆性破断させるほどの硬化は起きないため、ニッパや鋏のような切断機を用いても直線性を維持したまま、かつ先端形状を扇状にせずに、線径以下の細い切断幅のまま切断することは容易ではない。
【０００７】
一方、特許文献１には、管材の切断時に、管材に軸線方向の弾性域の引っ張り荷重をあたえながら、管材を切断刃により切断することが開示されている。その技術は、金属極細線よりも太く、しかも中空の管材であるため、切断対象物の大きさや形状の相違から、金属極細線の切断に利用できない。
【先行技術文献】
【特許文献】
【０００８】
【特許文献１】特開平０９−１６８９２０
【発明の概要】
【発明が解決しようとする課題】
【０００９】
したがって、本発明が解決しようとする課題は、ボンディングワイヤのような金属極細線の先端の直線性を維持したまま、先端形状を線径以下の細い切断幅のままにして切断できるワイヤ切断ツールの提供にある。
【課題を解決するための手段】
【００１０】
上記課題の下に、本発明は、直線状の金属極細線を同一平面内で一対のクランパにより所定の長さで挟持する２つの開閉式クランパと、２つの開閉式クランパ間内側に配置され、２つの開閉式クランパのうち金属極細線の先端側の開閉式クランパの少なくとも片方のクランパに設けられ、金属極細線の線径よりも低い高さの切断刃と、２つの開閉式クランパを金属極細線の軸線方向にそって移動させ、２つの開閉式クランパのクランパ間距離を変更する移動手段とを具備し、２つの開閉式クランパにより金属極細線を直線状として挟持すると共に、金属極細線に切断刃により切り込みを形成し、移動手段によりクランパ間距離を拡大することにより、金属極細線を軸線方向に伸張して加工硬化させ、さらに伸張させることによって、切断刃による切り込み部分のくびれを破断起点として金属極細線を切断し、金属極細線の先端に加工硬化した直線部分を形成している（請求項１）。
【００１１】
本発明は、少なくとも片方のクランパに対して切断刃の高さを調整自在に設けている（請求項２）。
【００１２】
また、本発明は、移動手段を、各開閉式クランパ取り付け用の２つのクランパ台に共通な直線ガイドと、少なくとも１つのクランパ台を直線ガイドにそって移動させる駆動手段とで構成し、ワイヤ切断ツールをデスクトップ式として構成している（請求項３）。
【００１３】
さらに、本発明は、移動手段を、開閉操作可能な一対の手動操作レバーと、これらの手動操作レバーに連動し、２つの開閉式クランパを金属極細線の軸線方向にそって接離させる平行リンクと、この平行リンクによって応動して回動し、一対のクランパを開閉するカムとで構成し、ワイヤ切断ツールをハンディ式として構成している（請求項４）。
【発明の効果】
【００１４】
本発明に係るワイヤ切断ツールによれば、まず金属極細線を直線状に所定長さで挟持できる２つの開閉式クランパによって、金属極細線先端の直線状に加工硬化させる長さを特定して切断することが可能となる。一対のクランパの閉塞面は同一平面内にあり、かつ同一直線を挟持できる位置関係にあるため、破断後の金属極細線は一対のクランパの前後で屈折せず、一対のクランパのうち金属極細線の先端側のクランパの少なくとも片方に金属極細線の線径よりも低い高さの切断刃が２つの開閉式クランパ間内側に設置されているために、クランプ後に金属極細線が伸長されはじめても、すぐには切断されず、破断までに伸長によって金属極細線の先端を加工硬化させることが可能となる。２つの開閉式クランパのクランパ間距離は金属極細線を直線状に保持したまま伸長可能に取り付けられているために、２つの開閉式クランパ間の金属極細線も屈折することが無く、金属極細線を直線状にクランプした後に金属極細線を伸張して加工硬化させ、さらに伸張させることで、切断刃による損傷部分をきっかけにネッキング変形（くびれ変形）させ、金属極細線を切断することで、金属極細線の先端に加工硬化した先細り形状の直線部分を容易に形成できる（請求項１）。
【００１５】
このように、金属極細線の先端に加工硬化した一定長さの直線部が形成され、くびれ変形部分の破断によって先細り形状を形成しながら簡単に切断できるため、ボンディングワイヤのセッティング作業のように金属極細線を微小な孔径を有するキャピラリチューブへ貫通させる作業に要する時間が短縮化され、直線部形成作業の失敗がなくなる。そのために作業のやり直しによる金などの高価なボンディングワイヤの無駄が回避できる（請求項１）。
【００１６】
切断刃の高さが調整自在に設けられており、適切な高さに調整できるため、刃が高すぎる場合の不都合（金属極細線が加工硬化不足・伸長不足のまま破断し、先端の直線性が得られない。）や、刃が低すぎる場合の不都合（金属極細線が容易に破断せず、伸長過剰で先端の長さが不定となり、破断の反動で座屈する。）がなくなり、適切な状態での金属極細線の切断が可能となる（請求項２）。
【００１７】
また移動手段が各開閉式クランパ取り付け用の２つのクランパ台に共通な直線ガイドと、少なくとも１つのクランパ台を直線ガイドにそって移動させる駆動手段とで構成され、ワイヤ切断ツールがデスクトップ式として構成されていると、金属極細線の種類に応じて２つの開閉式クランパのクランパ間距離が自由に設定できるため、汎用のワイヤ切断ツールとして広く利用でき、金属極細線の先端部分に、必要な長さの加工硬化した直線部分が簡単に形成できる（請求項３）。
【００１８】
さらに移動手段が開閉操作可能な一対の手動操作レバーと、これらの手動操作レバーに連動し、２つの開閉式クランパを金属極細線の軸線方向にそって接離させる平行リンクと、この平行リンクによって応動する本体と、この本体に固定された操作片によって回動し、一対のクランパを開閉するカムとで構成されており、ワイヤ切断ツールがハンディ式として構成されていると、携帯可能な手動工具として必要な場所で簡易に利用できる。しかも平行リンクの動作によってクランパ間距離を伸縮できるため、２つの開閉式クランパの平行状態が維持されたまま、金属極細線の伸長ができ、カムの働きで、金属極細線の破断後はクランパが金属極細線を開放したまま２つの開閉式クランパ間距離が縮まるので、クランプ後のワイヤの折れ曲がりを回避するといった作用が、手動操作レバーの開閉操作のみで達成され、極めて取扱が簡易である（請求項４）。
【図面の簡単な説明】
【００１９】
【図１】本発明のデスクトップ式のワイヤ切断ツールの正面方向から見た斜面図である。
【図２】本発明のデスクトップ式のワイヤ切断ツールの背面方向から見た斜面図である。
【図３】本発明のデスクトップ式のワイヤ切断ツールの要部の拡大正面図である。
【図４】本発明のハンディ式のワイヤ切断ツールにおいて金属極細線の挟持前の平面図である。
【図５】本発明のハンディ式のワイヤ切断ツールにおいて金属極細線の挟持後の伸長途上の状態の平面図である。
【図６】本発明のハンディ式のワイヤ切断ツールにおいて金属極細線の最大伸長・破断直後の平面図である。
【図７】本発明のハンディ式のワイヤ切断ツールにおいて金属極細線の切断後の復帰途上の平面図である。
【発明を実施するための形態】
【００２０】
図１および図２は、本発明のデスクトップ式のワイヤ切断ツール１を示している。これらの図において、ワイヤ切断ツール１は、２つの開閉式クランパ２、３、図３に明示する切断刃４および移動手段５を具備している。２つの開閉式クランパ２、３は、例えば上下の位置で２つのクランパ台１３、１４に取り付けられており、それらのクランパ間距離Ｄは移動手段５によって変化するように構成されている。
【００２１】
上下の開閉式クランパ２、３は、それぞれ直線状の金属極細線Ｗを同一平面内で一対のクランパ６、７により所定の位置で挟持するために、必要に応じてスペーサ１７、１８を介してそれぞれ上下のクランパ台１３、１４に同じ向きとして取り付けられている。２つのクランパ台１３、１４は、例えばあり・あり溝による共通の直線ガイド８によりベース１０の支柱９に対して上下方向に相対的に移動自在に取り付けられている。
【００２２】
開閉式クランパ２、３のうち、例えば下方の開閉式クランパ３は、クランパ台１４に取り付けられた駆動手段としての駆動モータ１１の出力軸と支柱９の側面との間に取り付けたラック・ピニオン１２により上下方向に相対的に移動可能になっている。なお、ラック・ピニオン１２のうち、ピニオンは、図面上現れていないが、駆動モータ１１の出力軸に取り付けられ、ラックにかみ合っている。
【００２３】
前記の直線ガイド８、駆動モータ１１、ラック・ピニオン１２およびクランパ台１３、１４は、２つの開閉式クランパ２、３に対するクランパ間距離Ｄを変更するための移動手段５を構成している。この移動手段５は、開閉式クランパ３を開閉式クランパ２に対して金属極細線Ｗの軸線方向にそって移動させ、２つの開閉式クランパ２、３の間のクランパ間距離Ｄを変更するために設けられている。
【００２４】
そして、各開閉式クランパ２、３は、開閉自在の一対のクランパ６、７により構成されており、各クランパ６、７は、必要に応じ、対向面が滑りにくい材料からなるクランパパッド６ａ、７ａを有している。開閉式クランパ２、３の一対のクランパ６、７が閉じたときに、クランパパッド６ａ、７ａの向き合う挟持面は、閉塞面となり、同一平面内にあって金属極細線Ｗを直線状として所定の長さで挟持できるようになっている。なお、一対のクランパ６、７の開閉は、図示しない内蔵の電磁コイル、モータ、圧縮空気などの駆動力を利用して行われる。
【００２５】
図３のように、２つの開閉式クランパ２、３のうち、金属極細線Ｗの先端側（下側）の開閉式クランパ３は、少なくとも片方のクランパ７の部分で、切断刃４を有している。切断刃４は、２つの開閉式クランパ２、３の間の内側に設置されており、２つの開閉式クランパ２、３によって挟持されている金属極細線Ｗの方向に向けて、高さ調整用のワッシャ１５を介在させながら固定ねじ１６により取り付けられている。
【００２６】
なお、切断刃４は、刃の高さ調整が不要な場合はインサート成形などによってクランパ７と一体のものとして構成することもでき、また双方のクランパ７に向き合う状態として一対を設置することもできる。このように、切断刃４は、少なくとも片方のクランパ７に、金属極細線Ｗに対して刃先の高さを調整自在として設けられることが望ましい。
【００２７】
金属極細線Ｗの切断に際して、金属極細線Ｗは、開状態の一対のクランパ６のクランパパッド６ａの間、および開状態の一対のクランパ７のクランパパッド７ａの間に、開閉式クランパ２、３の移動方向に平行な直線状として置かれる。このとき、上下の開閉式クランパ２、３の間のクランパ間距離Ｄは、予め適切な値に設定されている。このあと、開閉式クランパ２、３は、それぞれ一対のクランパ６、７を閉じ、クランパパッド６ａ、７ａの閉塞面（挟持面）で金属極細線Ｗを同一平面内で同一直線上で挟持する。この挟持状態のときに、切断刃４は、挟持状態の金属極細線Ｗの表面に切り込みを形成する。
【００２８】
この後、駆動手段としての駆動モータ１１は、下方の開閉式クランパ３を上方の開閉式クランパ２から離れる方向に移動させる。開閉式クランパ３は、金属極細線Ｗを直線状に保持したまま直線ガイド８にそって下方に移動し、クランパ間距離Ｄを拡大して、金属極細線Ｗを直線方向に伸張し、開閉式クランパ２、３の間で金属極細線Ｗを加工硬化させ、さらに金属極細線Ｗを伸張させることによって、切断刃４の切り込みによる損傷部分をきっかけに引張応力でくびれ変形（ネッキング変形）させ、くびれを破断起点として金属極細線Ｗを破断によって切断する。
【００２９】
このようにして、金属極細線Ｗは、先端に加工硬化した直線部分を形成した状態で、くびれ変形の位置で切断される。このため、切断後に、破断時の反動で金属極細線Ｗの先端が湾曲せず、金属極細線Ｗの先端が扇状になることもなく、加工硬化の部分で所定長さの直線性が維持される。
【００３０】
切断の過程で、切断刃４の高さ設定は、最良の切断状態を得るために極めて重要である。切断刃４が高すぎる場合、金属極細線Ｗは加工硬化・伸長不足のまま破断し、先端部分で直線性は得られない。逆に切断刃４が低すぎる場合、金属極細線Ｗは容易に破断せず、伸長過剰で先端部分の長さが不定となり、破断の反動で座屈しやすくなる。
【００３１】
したがって、切断刃４の高さは、少なくとも、ミクロン単位で調整できるようにする。そのための調整手段としては、例えば、厚みの異なる複数の高さ調整用のワッシャ１５を用意するか、あるいは図示しないが、微調整用押しねじを追加し、微調整用押しねじをクランパ７にねじ込み、微調整用押しねじの先端を高さ調整用のワッシャ１５または切断刃４の背に押し当てる構成を採用し得る。
【００３２】
前記のように、切断刃４は、２つの開閉式クランパ２、３のうち金属極細線Ｗの先端側の開閉式クランパ３の一対のクランパ７において、少なくとも片側のものに金属極細線Ｗの線径よりも低い高さとして設置されている。この理由は、切断刃４の高さを金属極細線Ｗの線径以上にすると、一対のクランパ７により金属極細線Ｗを挟持した瞬間、あるいは挟持後にクランパ間距離Ｄを伸長する初期の段階で、金属極細線Ｗが破断し、破断部の直径を小径化させるネッキングが生じなかったり、金属極細線Ｗの伸長によって加工硬化による直線部分の形成が行われなかったりするためである。
【００３３】
また、切断刃４は、２つの開閉式クランパ２、３間の内側に設置される。この理由は、金属極細線Ｗを開閉式クランパ２、３で挟持した時に、開閉式クランパ２と開閉式クランパ３との間、つまり金属極細線Ｗの加工硬化による直線部分で、切断のきっかけとなる損傷（切り込み）を挟持動作と同時に与えるためである。
【００３４】
なお、クランパ間距離Ｄを可変する方法としては、図示しないが、送りねじユニットや、巻き掛け伝導ユニットを利用することもできる。送りねじユニットでは、支柱９に平行して設置した回転方向を自由に設定できるボールねじ軸と、ボールねじ軸に螺合したボールねじナットをクランパ台１４に設置し、ボールねじ軸を駆動モータ１１で回転することによって、開閉式クランパ２、３の一方を他方に対して移動させる。また巻き掛け伝導ユニットでは、支柱９に平行して輪状に閉じたワイヤやベルトを２個の滑車に巻き掛け、一方の滑車軸には駆動モータ１１の出力軸を連結し、滑車間でワイヤやベルトをクランパ台１４に係合し、駆動モータ１１の回転によって移動するワイヤやベルトによってクランパ台１４を上下の方向に移動させる。
【００３５】
なお、クランパ間距離Ｄの変更は、２つの開閉式クランパ２、３の一方だけでなく、双方を移動させて行うこともできる。金属極細線Ｗの切断後は、クランプ６を開き、先端が直線状となったワイヤを取り出し、また、クランプ７を開き、切断屑を除去した後、駆動モータ１１を駆動してクランパ間距離Ｄを初期値に復帰させる。
【００３６】
つぎに、図４ないし図７は、本発明のハンディ式のワイヤ切断ツール１を示している。これらの図において、ワイヤ切断ツール１は、手動操作可能な一対の手動操作レバー２１、２２の手動操作力を利用して、２つの開閉式クランパ２、３のクランパ間距離Ｄを変化させ、かつ２つの開閉式クランパ２、３の開閉動作および切断刃４による切り込み動作を行う例であり、上記の他に、平行リンク２３、２４、本体２０およびカム２５、２６などにより構成されている。
【００３７】
２つの開閉式クランパ２、３は、金属極細線Ｗを同一平面で直線状として保持するためにそれぞれ平行なクランパ台１３、１４の例えば上面に取り付けられており、一対のクランパ６、７のうち一方の例えば図面上、右側のものは、各クランパ台１３、１４に固定されて固定側のものとなり、他方の左側のものは、それぞれのクランパ台１３、１４の平行な２本の滑り案内２７、２８に対して平行移動自在に取り付けられ、可動側のものとなり、コイルばね２９、３０によって常にコイルばね２９、３０の縮む方向（後退方向）に付勢されている。このようにして、一対のクランパ６、７は、可動側のものを固定側のものに対して接近方向に前進し、対向面を閉じ、それらの間で金属極細線Ｗを同一平面で直線状として挟持できるようになっている。
【００３８】
この例において、２つの開閉式クランパ２、３のうち、図面上で上側の開閉式クランパ２は、一対のクランパ６の少なくとも一方、例えば固定側のクランパ６の近くで、開閉式クランパ３寄りの位置で、金属極細線Ｗの線径よりも低い高さの切断刃４を挟持状態の金属極細線Ｗの方向に向けて、高さ調整用のワッシャ１５を介在させながら固定ねじ１６により高さ調整自在に取り付けられている。この例においても、切断刃４は、高さ調整を必要としない場合は、クランパ６と一体ものとして構成することもでき、また双方のクランパ６の位置に向き合う状態として配置することもできる。
【００３９】
平行な２つのクランパ台１３、１４およびこれらの間の本体２０は、一対の手動操作レバー２１、２２、リンク３１、３２および支点軸１９のほかの５本の連結ピン３３、３４、３５、３６、３７によって２つの平行リンク２３、２４を構成している。
【００４０】
すなわち一方の平行リンク２３は、クランパ台１３、手動操作レバー２１、本体２０、リンク３１、支点軸１９および連結ピン３３、３４、３６によって構成されており、また他方の平行リンク２４は、クランパ台１４、手動操作レバー２２、本体２０およびリンク３２、支点軸１９および連結ピン３５、３７、３４によって構成されている。このため、本体２０、その中に設けられた支点軸１９および連結ピン３４は、２つの平行リンク２３、２４に共通となっている。
【００４１】
一対の手動操作レバー２１、２２は、支点軸１９によって開閉自在に連結されており、これらの間の圧縮ばね４０によって常に操作側で押し拡げらる方向に付勢されている。このため、操作力が作用していないとき、平行リンク２３、２４は、圧縮ばね４０の弾力によって偏平な方向に変形し、クランパ台１３、１４や、一対のクランパ６、７を常に接近させている。
【００４２】
なお、平行リンク２３、２４は、クランパ台１３、１４の上面だけでなく、下面にも同様の構成として配置することもできる。平行リンク２３、２４が各クランパ台１３、１４の上面および下面に配置されていると、一対の手動操作レバー２１、２２の操作力が上面および下面の平行リンク２３、２４に対して均等に作用するから、それらの動きは、より軽快になる。
【００４３】
本体２０は、一対のクランパ６、７の側の端部でＹ字状となり、先端でカム２５、２６の連動片４１、４２に係り合う操作片４３、４４を形成している。各カム２５、２６は、一種の偏心カムであり、それぞれカム軸３８、３９により各クランパ台１３、１４に回転角９０度前後の範囲で回転自在に取り付けられ、外周面で可動側のクランパ６、７に当接している。
【００４４】
手動操作レバー２１、２２の握り操作によって、２つのクランパ台１３、１４が互いに離れる方向に平行移動するとき、操作片４３、４４の方向にカム２５、２６が進出し、カム２５、２６の連動片４１、４２が操作片４３、４４に係り合うため、図面上で、上のカム２５は反時計方向に回り、下のカム２６は時計方向に回る。このとき、それぞれのカム２５、２６は、可動側のクランパ６、７を固定側のクランパ６、７の方向に移動させ、一対のクランパ６、７の間で金属極細線Ｗを同一平面上で直線状として挟持する。
【００４５】
ここで、本体２０上に軸支された開閉操作可能な一対の手動操作レバー２１、２２と、リンク３１、３２、さらにこれらレバーおよびリンクに軸支された２つのクランパ台１３、１４は、ハンディ式のワイヤ切断ツール１の移動手段５を構成している。
【００４６】
金属極細線Ｗの切断に際して、操作者は、図４のように、開閉式クランパ２、３の開状態の一対のクランパ６、開状態の一対のクランパ７の間に、金属極細線Ｗを直線状として置いてから、手動操作レバー２１、２２を握り、圧縮ばね４０の弾力に抗して閉じる。このとき、２つのクランパ台１３、１４および一対のクランパ６、７は、リンク３１、３２に押されて、互いに離れる方向に移動する。なお、一対のクランパ６と一対のクランパ７との間のクランプ間距離Ｄは、金属極細線Ｗの加工硬化の長さに応じて予め適切な値に設定されている。
【００４７】
リンク３１、３２の回動によって、本体２０は、図５のように、２つのクランパ台１３、１４に対して相対的に前進して先端の操作片４３、４４でカム２５、２６の連動片４１、４２に係り合い、上のカム４１を反時計方向に、下のカム４２を時計方向に回動させ、一対のクランパ６、７のうち可動側のクランパ６、７をコイルばね２９、３０に抗して固定側のクランパ６、７の方向に移動させ、一対のクランパ６、７の間で金属極細線Ｗを同一平面上で直線状として保持させ、保持部分以外の金属極細線Ｗを自重で垂らした状態とする。このとき、切断刃４は、挟持状態の金属極細線Ｗの表面に切り込みを形成する。この例においても、前記の例と同様に、切断刃４の高さは、高さ調節用のワッシャ１５の選択で、事前にミクロン単位で調整しておく。
【００４８】
この間にも、２つのクランパ台１３、１４および一対のクランパ６、７は、互いに離れる方向に移動して、金属極細線Ｗを伸張させ、金属極細線Ｗを直線状の加工硬化状態とし、さらに伸張させることで切断刃４の切り込みによる損傷部分をきっかけに引張応力でくびれ変形（ネッキング変形）させ、切り込み部分のくびれを破断起点として金属極細線Ｗを破断により切断する。
【００４９】
操作者が手動操作レバー２１、２２を完全に閉じきると、図６のように、各操作片４３、４４がカム２５、２６の連動片４１、４２から外れるため、可動側のクランパ６、７は、コイルばね２９、３０に引かれて後退し、対向の固定側のクランパ６、７から離れる。このとき、一対のクランパ６、７は、金属極細線Ｗを解放する。可動側のクランパ６、７の後退に連動して、カム２５、２６もコイルばね２９、３０の復帰力によって回動し、もとの位置に戻る。このようにして、金属極細線Ｗは、直線状の加工硬化部分の先端で切断面を形成した状態で、一対のクランパ６、７から解放される。
【００５０】
図７のように、操作者が手動操作レバー２１、２２を解放すると、一対の手動操作レバー２１、２２は圧縮ばね４０の弾力によって離れる方向に移動し、これとともに一対のクランパ６、７は互いに近づく方向に復帰する。この復帰の途中に、カム２５、２６は、図５に示す手動操作レバー２１、２２を閉じる過程で本体２０の各操作片４３、４４がカム２５、２６の連動片４１、４２に係り合う面と逆の面で係り合う。このために、カム２５、２６はそれぞれ時計方向、反時計方向に回動して図４に示す初期状態に戻るので、クランパ６、７が閉じることはなく、一度開放した金属極細線Ｗを再度把持し座屈させることはない。
【００５１】
このように、ハンディ式のワイヤ切断ツール１において、手動操作レバー２１、２２の操作力は、開閉式クランパ２、３の接離方向の移動、一対のクランパ６、７の開閉、切断刃４の切り込み、金属極細線Ｗの伸張・加工硬化、破断による切断、開放の作用力となり、これらの動作を順次に行っていく。
【００５２】
各例のワイヤ切断ツール１によると、金属極細線Ｗの先端に加工硬化した一定長さの直線部を形成し、くびれ変形部分の破断によって線径より小さな切断部分で簡単に切断できるため、ボンディングワイヤのセッティング作業のように金属極細線Ｗを微小な孔径を有するキャピラリチューブへ貫通させる作業に要する時間が短縮化され、直線部形成作業の失敗がなくなるために、作業のやり直しによる金などの高価なボンディングワイヤの無駄が回避できる。
【産業上の利用可能性】
【００５３】
本発明は、ボンディングワイヤ用の金属極細線Ｗを対象として開発されたが、その他の用途の金属極細線Ｗにも利用できる。
【符号の説明】
【００５４】
１  ワイヤ切断ツール
２  開閉式クランパ
３  開閉式クランパ
４  切断刃
５  移動手段
６  一対のクランパ    ６ａクランパパッド
７  一対のクランパ    ７ａクランパパッド
８  直線ガイド
９  支柱
１０  ベース
１１  駆動モータ
１２  ラック・ピニオン
１３  クランパ台
１４  クランパ台
１５  高さ調節用のワッシャ
１６  固定ねじ
１７  スペーサ
１８  スペーサ
１９  支点軸
２０  本体
２１  手動操作レバー
２２  手動操作レバー
２３  平行リンク
２４  平行リンク
２５  カム
２６  カム
２７  滑り案内
２８  滑り案内
２９  コイルばね
３０  コイルばね
３１  リンク
３２  リンク
３３  連結ピン
３４  連結ピン
３５  連結ピン
３６  連結ピン
３７  連結ピン
３８  カム軸
３９  カム軸
４０  圧縮ばね
４１  連動片
４２  連動片
４３  操作片
４４  操作片
Ｗ  金属極細線
Ｄ  クランパ間距離
【図１】
2011131233.tif 000003
【図２】
2011131233.tif 000004
【図３】
2011131233.tif 000005
【図４】
2011131233.tif 000006
【図５】
2011131233.tif 000007
【図６】
2011131233.tif 000008
【図７】
2011131233.tif 000009